(57)【特許請求の範囲】
【請求項１】
上面に化粧料収容用孔部が形成された容器本体と、この容器本体の一端部に回動自在に連結されこの容器本体の上面を蓋する蓋体とを備え、上記容器本体の上面のうち、上記一端部寄り部分に、閉蓋時に上記蓋体に押圧状に当接する凸部を突設し、少なくとも上記凸部に当接する上記蓋体の部分に可撓性を持たせ、閉蓋時に上記凸部が上記蓋体に当接したのちも閉蓋を続行しようとすると上記凸部に当接する上記蓋体の部分が撓んで上記閉蓋を続行しうるように構成したことを特徴とする容器。
【請求項２】
上記蓋体を、上記容器本体の上面を蓋する蓋板部と、この蓋板部の一端部の一部から下向きに突設され上記容器本体の一端部に回動自在に連結される連結部とを備え、上記容器本体の上面に突設した凸部を、閉蓋時に上記蓋板部の一端部の他部に押圧状に当接するように構成した請求項１記載の容器。
【請求項３】
上記容器本体の上面のうち、上記一端部寄り部分に、上記一端部の端縁に向かってなだらかに下る下り傾斜面が形成され、この下り傾斜面に上記凸部が上記容器本体の上面より上方に突出しない状態で突設されている請求項２記載の容器。
【発明の詳細な説明】
【技術分野】
【０００１】
本発明は、化粧料容器等の容器に関するものである。
【背景技術】
【０００２】
従来から、ファンデーション等の化粧料を収容する各種の化粧料容器として、図１８に示すようなコンパクト容器が提案されている。このコンパクト容器は、上面に化粧皿収容凹部３１ａが形成された容器本体３１と、この容器本体３１の上面を蓋する蓋体３２と、開蓋用フックピース３３とを備えており、上記容器本体３１の前端部中央に、奥面に係合突起３４ａが突設された切欠き凹部３４を形成し、この切欠き凹部３４にフックピース３３を回動自在に固定している。また、上記蓋体３２の前端部中央から、上記係合突起３４ａに着脱自在に係合する係合爪３２ａを垂設している。そして、閉蓋時には上記係合突起３４ａと係合爪３２ａとの係合により閉蓋状態を保持し、開蓋時にはフックピース３３の下部を奥側に押圧してフックピース３３を回動させることにより、上記係合を解除するようにしている。
【０００３】
ところが、上記のコンパクト容器では、容器本体３１の係合突起３４ａ，蓋体３２の係合爪３２ａおよびフックピース３３の構造が複雑で、成形による寸法誤差が生じやすい。そのため、上記係合が強固になりすぎて開蓋しにくいものや、緩すぎて簡単に開蓋しすぎるものができる。特に上記係合が強固なコンパクト容器では、蓋体３２の開閉を繰り返すと、上記係合爪３２ａに無理な力が加わって材質疲労が蓄積し、使用途中で上記係合爪３２ａが折れるという事態が生じる。また、上記係合が緩すぎて簡単に開蓋するコンパクト容器では、バッグ等に入れて携帯している際に、不用意に開蓋して化粧料でバッグ等の内部を汚すという事態を生じたりする。しかも、容器本体３１，蓋体３２およびフックピース３３の３部品が必要であり、部品点数が多く、在庫管理等の管理面が煩雑になる。
【０００４】
そこで、フックピース３３を不要としたものとして、図１９に示すようなコンパクト容器が提案されている。このコンパクト容器は、容器本体３６と、この容器本体３６の後部にヒンジ部３８を介して開閉自在に取り付けた蓋体３７とを備え、上記容器本体３６の後部に断面コ字形の部位を形成し、この部位の後端片を弾性部３９とし、この弾性部３９の後面に、上記ヒンジ部３８よりも下方の部位に突起３９ａを突設し、上記蓋体３７に、上記突起３９ａの先端に接触する蓋体頂部３７ａを突設している。このコンパクト容器では、上記突起３９ａにより蓋体３７が不用意に開放してしまうことを阻止して閉蓋状態で安定的に保持することができる。また、開蓋のために蓋体３７を回動させると、蓋体３７に設けた蓋体頂部３７ａにより突起３９ａに応力がかかって弾性部３９が弾性変形し、蓋体頂部３７ａが突起３９ａを乗り越えることができ、蓋体３７を開けることができる（例えば、特許文献１参照）。
【特許文献１】特開２００５−８８９２５号公報
【発明の開示】
【発明が解決しようとする課題】
【０００５】
しかしながら、上記のコンパクト容器では、上記容器本体３６の後部に形成した弾性部３９の後面に突起３９ａを突設し、上記蓋体３７に蓋体頂部３７ａを突設し、これら突起３９ａと蓋体頂部３７ａとを開蓋時に接触させるようにしているため、上記弾性部３９，突起３９ａ，蓋体頂部３７ａの構造が複雑になり、成形による寸法誤差が生じやすい。特に容器本体３６に突設した突起３９ａと、この容器本体３６とは別部材である蓋体３７に突設した蓋体頂部３７ａとを接触させるようにしているため、上記寸法誤差により上記接触が強くなりすぎて開蓋しにくいものや、弱すぎて簡単に開蓋してしまうものができやすくなる。しかも、上記したように、開蓋時に、容器本体３６に突設した突起３９ａと、この容器本体３６とは別部材である蓋体３７に突設した蓋体頂部３７ａとを接触させるようにしているため、開蓋強度の調整がむずかしい。しかも、上記のコンパクト容器を底側から見ると、上記弾性部３９，突起３９ａ，蓋体頂部３７ａにより見栄えが悪い。
【０００６】
本発明は、このような事情に鑑みなされたもので、構造が簡単で、寸法誤差が少なく、しかも、開蓋強度の調整がやさしく、見栄えのよい容器の提供をその目的とする。
【課題を解決するための手段】
【０００７】
上記の目的を達成するために、本発明の容器は、上面に化粧料収容用孔部が形成された容器本体と、この容器本体の一端部に回動自在に連結されこの容器本体の上面を蓋する蓋体とを備え、上記容器本体の上面のうち、上記一端部寄り部分に、閉蓋時に上記蓋体に押圧状に当接する凸部を突設し、少なくとも上記凸部に当接する上記蓋体の部分に可撓性を持たせ、閉蓋時に上記凸部が上記蓋体に当接したのちも閉蓋を続行しようとすると上記凸部に当接する上記蓋体の部分が撓んで上記閉蓋を続行しうるように構成したという構成をとる。
【発明の効果】
【０００８】
すなわち、本発明の容器は、上面に化粧料収容用孔部が形成された容器本体と、この容器本体の一端部に回動自在に連結されこの容器本体の上面を蓋する蓋体とを備え、上記容器本体の上面のうち、上記一端部寄り部分に、閉蓋時に上記蓋体に押圧状に当接する凸部を突設し、少なくとも上記凸部に当接する上記蓋体の部分に可撓性を持たせるようにしている。そして、閉蓋時に上記凸部が上記蓋体に当接したのちも閉蓋を続行しようとすると上記凸部に当接する上記蓋体の部分が撓んで上記閉蓋を続行しうるように構成している。したがって、本発明の容器では、開蓋状態から閉蓋状態にする際に、上記蓋体を閉蓋方向に手指等で回動させると、この閉蓋に伴う回動の途中で蓋体が上記凸部に押圧状に当接するものの、上記閉蓋を続行しようとすると、少なくとも上記凸部に当接する上記蓋体の部分がその可撓性により撓んで上記閉蓋を続行することができ、閉蓋状態にすることができる。また、この閉蓋状態にあるときに、不用意に開蓋しようとしても、この開蓋に伴う回動の途中で（もしくは全く回動することなく）蓋体が上記凸部に押圧状に当接し、この当接によりそれ以上回動することができなくなり、開蓋が阻止される。また、閉蓋状態から開蓋するために、上記蓋体を開蓋方向に手指等で回動させると、この回動に伴って（もしくは全く回動することなく）蓋体が上記凸部に当接するものの、この当接ののちも上記蓋体を開蓋方向に強く回動させると、少なくとも上記凸部に当接する上記蓋体の部分がその可撓性により撓むことから、上記凸部に上記蓋体の部分を押圧状に当接させながら開蓋を続行することができ、そののち、所定の角度まで回動させると上記凸部と上記蓋体の部分とが離間し、弱い力でも大きく開蓋させることができる。
【０００９】
このように、本発明の容器では、上記容器本体の上面のうち、上記一端部寄り部分に、凸部を突設し、少なくとも上記凸部に当接する上記蓋体の部分に可撓性を持たせ、上記凸部と、可撓性を持たせた蓋体の部分（この蓋体の部分は、蓋体の一部でも、蓋体の全部でもよい）だけで、不用意に開蓋するのを阻止しているため、構造が簡単であり、成形による寸法誤差が生じにくくなる。このため、上記寸法誤差により上記当接が強くなりすぎて開蓋しにくいものや、弱すぎて簡単に開蓋してしまうものができなくなる。しかも、上記容器本体にだけ凸部を設けているため、開蓋強度の調整がやさしい。しかも、閉蓋状態では、上記凸部は蓋体に隠れて見えず、蓋体が見えるだけであるため、見栄えが悪くならない。
【００１０】
また、上記蓋体を、上記容器本体の上面を蓋する蓋板部と、この蓋板部の一端部の一部から下向きに突設され上記容器本体の一端部に回動自在に連結される連結部とを備え、上記容器本体の上面に突設した凸部を、閉蓋時に上記蓋板部の一端部の他部に押圧状に当接するように構成すると、上記蓋板部の一端部の他部、他部およびその近傍部分もしくは上記蓋板部の全部等を、可撓性を有する構造（例えば、可撓部材で構成された平板）にすることで、少なくとも上記凸部に当接する上記蓋体の部分に可撓性を持たせることができ、上記蓋体が作製しやすくなる。しかも、閉蓋時には上記蓋板部を容器本体の上面上に載置し、もしくは容器本体の上面に略当接するように配設しているため、不用意に開蓋しようとしても、この開蓋に伴う回動の途中ですぐに（もしくは全く回動することなく）上記蓋板部の一端部の他部が上記凸部に当接し、全く開蓋せず、もしくはわずかな角度しか開蓋しない。
【００１１】
また、上記容器本体の上面のうち、上記一端部寄り部分に、上記一端部の端縁に向かってなだらかに下る下り傾斜面が形成され、この下り傾斜面に上記凸部が上記容器本体の上面より上方に突出しない状態で形成されていると、（通常の容器では、閉蓋時および開蓋時に容器本体の一端部と蓋体の一端部とが当接するのを防ぐために）上記容器本体の一端部の上面に形成されている下り傾斜面を利用し、この下り傾斜面に上記凸部を容器本体の上面より上方に突出しない状態で形成することで、閉蓋時には蓋板部を上記凸部に当接させることなく容器本体の上面上に載置し、もしくは容器本体の上面に略当接するように配設することができる。したがって、閉蓋時には上記蓋板部や連結部に無理な力が全く作用せず、耐久性に優れる。
【発明を実施するための最良の形態】
【００１２】
つぎに、本発明の実施の形態を図面にもとづいて詳しく説明する。
【００１３】
図１および図２は本発明の容器の一実施の形態を示している。この実施の形態では、容器として、非フックピース型の化粧料容器を用いている。これらの図において、１は上面に平面視略四角形状の化粧皿収容凹部（化粧料収容用孔部）１ａと平面視略四角形状の化粧用具収容凹部１ｂとが左右並設状に形成された容器本体であり、上記化粧皿収容凹部１ａに、化粧料２ａが充填された化粧皿２が着脱自在に収容され、上記化粧用具収容凹部１ｂにパフ等の化粧用具（図示せず）が収容されている。
【００１４】
また、上記容器本体１には、図３および図４に示すように、その後側壁（容器本体の一端部）１１に、その左右両側壁部分１１ａを残した状態で、後側面および上下両側面が開放された切欠き部１２が切欠き形成されており、この切欠き部１２に、後述する蓋体３の連結部１８が回動自在に挿通されている。また、上記後側壁１１の左右両側壁部分１１ａには、これを貫通するようにして左右一対の連結ピン挿通孔１３が相対向する状態で形成されており、これら両連結ピン挿通孔１３に、上記連結部１８を回動自在に支受する連結ピン１４（図５参照）が、上記左右両側壁部分１１ａの内面（すなわち、上記切欠き部１２の左右両側面）から突出する状態で挿通，固定されている。
【００１５】
また、上記後側壁１１の左右両側壁部分１１ａの上面には、左右方向内側部分（すなわち、上記切欠き部１２の左右両側部分）の後側部分（上記両連結ピン挿通孔１３より後側部分）が、後端縁に向かってなだからに下向きに湾曲する下向き湾曲面（下向き傾斜面）１５に形成されているとともに、左右方向外側部分（すなわち、上記左右両側壁部分１１ａの左右両端部分）が、上記容器本体１の上面と同一面に形成されており、この部分が上記両下向き湾曲面１５に対して、上記容器本体１の上面に沿って前後方向に帯状に延びる凸部１６となっている。なお、上記下向き湾曲面１５は、従来の化粧料容器にも、形成されていたものである。
【００１６】
３は上記容器本体１の上面を開閉自在に蓋するプラスチック製蓋体であり、可撓性を有する薄肉平板状体からなる蓋板部１７と、この蓋板部１７の後端部（蓋体の一端部）の左右方向中央部分（一部）から垂設される連結部１８とからなっている（図５参照）。この連結部１８には、その左右両側面にピン挿通孔１８ａが形成されており、これら両ピン挿通孔１８ａに、上記連結ピン１４の、上記容器本体１の左右両側壁部分１１ａの内面から突出する部分が回動自在に挿通されている。
【００１７】
また、上記蓋板部１７の後端部は上記両ピン挿通孔１８ａより後側に突出しており、開蓋時に上記蓋体３を上方に回動させると、上記蓋板部１７の後端部が下方に回動するようにしている。そして、上記蓋板部１７の後端部のうち、左右方向内側部分（すなわち、上記連結部１８の左右両側部分であって、上記両下向き湾曲面１５に対応する部分）が上記両下向き湾曲面１５に沿って移動し、左右方向外側部分（すなわち、左右両端部分であって、上記両凸部１６に対応する部分）（他部）が開蓋時に上記両凸部１６に当接するようにしている。また、このような構造であるため、閉蓋時にも、上記蓋板部１７を容器本体１の上面に近づけると、上記蓋板部１７の後端部の左右両端部が上記両凸部１６に当接するようになっている。
【００１８】
上記の構成において、上記容器本体１の上面を蓋体３の蓋板部１７で閉じた状態（閉蓋状態）では、上記蓋板部１７が容器本体１の上面上に載置されているとともに、上記連結部１８の前側面が容器本体１の後側面（すなわち、上記切欠き部１２の前側面）に略当接している（図５参照）。このため、不用意に開蓋しようとしても、（この開蓋に伴って下方に回動しようとする）上記蓋体３の後端部の左右両端部分が、上記両凸部１６（すなわち、上記容器本体１の上面）に当接しているため（図６参照）、下方に回動することができず、開蓋が阻止される。
【００１９】
一方、上記閉蓋状態から開蓋するために、上記蓋体３を開蓋方向に手指等で回動させると、上記蓋体３の後端部の左右両端部分が上記凸部１６に当接していて上記蓋体３を回動させることができないものの、上記蓋体３を開蓋方向に強く回動させると（図７参照）、上記蓋板部１７の後端部の左右方向内側部分が上記下向き湾曲面１５に沿って移動するとともに（図８参照）、上記蓋体３の後端部の左右両端部分がその可撓性により撓むことから（図９および図１０参照）、上記両凸部１６に押圧状に当接しながら上記蓋体３が上方に回動する。そして、所定の角度回動すると、上記蓋体３の後端部の左右両端部分が上記両凸部１６から離れ（図１１および図１２参照）、弱い力で大きく開蓋させることができる。
【００２０】
また、上記開蓋状態から閉蓋状態にするため、上記蓋体３を閉蓋方向に手指等で回動させると、この閉蓋に伴う回動の途中で蓋体３が上記凸部１６に押圧状に当接するものの、上記蓋体３を閉蓋方向に強く回動させると、上記蓋体３の後端部の左右両端部分がその可撓性により撓んで（図９および図１０参照）上記閉蓋を続行することができるため、閉蓋状態にすることができる。そして、この閉蓋状態では、上記蓋板部１７が容器本体１の上面上に載置されており、上記連結部１８の前側面が容器本体１の後側面に略当接している（図５参照）。
【００２１】
このように、上記実施の形態では、上記容器本体１の後側壁１１の左右両側壁部分１１ａの上面にそれぞれ凸部１６を突設し、上記蓋体３の蓋板部１７に可撓性を持たせ、上記両凸部１６と蓋板部１７とだけで、不用意に開蓋するのを阻止しているため、構造が簡単であり、成形による寸法誤差が生じにくくなる。このため、上記寸法誤差により上記当接が強くなりすぎて開蓋しにくいものや、弱すぎて簡単に開蓋してしまうものができなくなる。しかも、上記容器本体１にだけ上記両凸部１６を設けているため、開蓋強度の調整がしやすい。しかも、閉蓋状態では、上記両凸部１６は蓋体３に隠れて見えず、蓋体３が見えるだけであるため、見栄えが悪くならない。しかも、閉蓋時には上記容器本体１の上面上に蓋板部１７を載置するようにしているため、上記蓋板部１７や連結部１８に無理な力が全く作用せず、耐久性に優れる。
【００２２】
図１３は本発明の容器の他の実施の形態を示している。この実施の形態では、上記容器本体１には、その後端部の左右両側部分に、後側面および上下両側面が開放された左右一対の切欠き部２１が切欠き形成されており、上記蓋体３には、その蓋板部１７の後端部の左右両側部分（上記両切欠き部２１に対応する部分）に左右一対の連結部２２が垂設されている。また、上記容器本体１の後端部のうち、上記両切欠き部２１および左右方向中央部分を除いた部分が、後端縁に向かってなだからに下向きに湾曲する下向き湾曲面（下向き傾斜面）２３に形成されているとともに、上記左右方向中央部分が上記容器本体１の上面と同一面に形成されており、この左右方向中央部分が、上記両下向き湾曲面２３に対して凸部２４となっている。それ以外の部分は上記実施の形態と同様であり、同様の部分には同じ符号を付している。この実施の形態でも、上記実施の形態と同様の作用・効果を奏する。
【００２３】
図１４および図１５は、図１〜図１２に示す実施の形態に用いる容器本体１の変形例を示している。この例では、上記容器本体１の後側壁１１の左右両側壁部分１１ａ（図１４および図１５では、左側壁部分１１ａしか図示せず）には、その上面の後側部分（上記両連結ピン挿通孔１３より後側部分）に、その左右方向の全幅にわたって下向き湾曲面２５が形成されており、これら両下向き湾曲面２５の上面に、左右方向に延びる一条の断面形状半球状の凸部２６が突設されている。それ以外の部分は、図１〜図１２に示す実施の形態に用いる容器本体１と同様であり、同様の部分には同じ符号を付している。この例の容器本体１を用いた場合にも、図１〜図１２に示す実施の形態と同様の作用・効果を奏する。
【００２４】
図１６および図１７は、図１〜図１２に示す実施の形態に用いる容器本体１の他の変形例を示している。この例でも、上記容器本体１の後側壁１１の左右両側壁部分１１ａ（図１６および図１７では、左側壁部分１１ａしか図示せず）には、その上面の後側部分（上記両連結ピン挿通孔１３より後側部分）に、その左右方向の全幅にわたって下向き湾曲面２５が形成されているが、この例では、上記両下向き湾曲面２５の後端部に、前面が凹曲面に形成された一条の凸部２７が左右方向に延びるようにして突設されている。それ以外の部分は、図１〜図１２に示す実施の形態に用いる容器本体１と同様であり、同様の部分には同じ符号を付している。この例の容器本体１を用いた場合にも、図１〜図１２に示す実施の形態と同様の作用・効果を奏する。
【００２５】
なお、上記各実施の形態では、上記容器本体１に化粧皿収容凹部１ａを形成し、この化粧皿収容凹部１ａに化粧皿２を着脱自在に収容しているが、これに限定するものではなく、上記容器本体１に化粧皿収容用の貫通孔を穿設し、この貫通孔に化粧皿２を着脱自在に収容してもよい。また、上記化粧皿収容凹部１ａに化粧料２ａを直接充填してもよい。
【００２６】
また、上記各実施の形態では、上記容器本体１の後側壁１１に下向き湾曲面１５，２３，２５を形成しているが、この下向き湾曲面１５，２３，２５に代えて、下向きに平面的に傾斜するテーパー面（傾斜面）に形成してもよい。また、上記各実施の形態において、上記凸部１６，２４，２６，２７を下向き湾曲面１５，２３，２５の左右方向の全幅にわたって形成してもよいが、この場合には、蓋体３がたわみにくいため、好適には、上記蓋体３がたわみやすいように、下向き湾曲面１５，２３，２５の左右方向の一部に形成することが好ましい。
【００２７】
また、図１４，図１５に示す実施の形態および図１６，図１７に示す実施の形態では、上記凸部２６，２７の先端を容器本体１の上面と略同じに形成しているが、容器本体１の上面より低く形成してもよい。また、これら両実施の形態において、上記凸部２６，２７の形状は、どのような形状でもよい。
【図面の簡単な説明】
【００２８】
【図１】本発明の容器の一実施の形態を示す斜視図である
【図２】上記容器の平面図である
【図３】容器本体の要部の断面図である。
【図４】上記容器本体の要部の斜視図である。
【図５】上記容器の作用を示す要部の断面図である。
【図６】上記容器の作用を示す要部の断面図である。
【図７】上記容器の作用を示す要部の断面図である。
【図８】上記容器の作用を示す要部の断面図である
【図９】上記容器の作用を示す要部の断面図である。
【図１０】上記容器の作用を示す側面図である。
【図１１】上記容器の作用を示す要部の断面図である。
【図１２】上記容器の作用を示す要部の斜視図である。
【図１３】本発明の容器の他の実施の形態を示す要部の斜視図である
【図１４】上記容器本体の変形例を示す要部の断面図である。
【図１５】上記容器本体の変形例を示す要部の斜視図である。
【図１６】上記容器本体の他の変形例を示す要部の断面図である。
【図１７】上記容器本体の他の変形例を示す要部の斜視図である。
【図１８】従来例を示す斜視図である。
【図１９】他の従来例を示す断面図である。
【符号の説明】
【００２９】
１  容器本体
１ａ  化粧皿収容凹部
３  蓋体
１６  凸部
【図１】
0004778750.tif 000002
【図２】
0004778750.tif 000003
【図３】
0004778750.tif 000004
【図４】
0004778750.tif 000005
【図５】
0004778750.tif 000006
【図６】
0004778750.tif 000007
【図７】
0004778750.tif 000008
【図８】
0004778750.tif 000009
【図９】
0004778750.tif 000010
【図１０】
0004778750.tif 000011
【図１１】
0004778750.tif 000012
【図１２】
0004778750.tif 000013
【図１３】
0004778750.tif 000014
【図１４】
0004778750.tif 000015
【図１５】
0004778750.tif 000016
【図１６】
0004778750.tif 000017
【図１７】
0004778750.tif 000018
【図１８】
0004778750.tif 000019
【図１９】
0004778750.tif 000020